【手続補正書】
【提出日】平成16年9月13日(2004.9.13)
【手続補正１】
【補正対象書類名】明細書
【補正対象項目名】特許請求の範囲
【補正方法】変更
【補正の内容】
【特許請求の範囲】
【請求項１】
直交周波数分割多重された信号から送信データを再生する直交周波数分割多重信号受信装置において、
受信した時間ドメインの信号を、それぞれのサブキャリア成分を含む周波数ドメインの信号に変換するフーリエ変換手段と、
係数計算手段と、
上記フーリエ変換手段の出力および上記係数計算手段の出力を入力とし、上記係数計算手段から出力されるフィルタ係数によるフィルタリングを行うフィルタ手段と、
上記フィルタ手段の出力を入力とし、サブキャリアをそれぞれの変調方式に応じた復調法によって復調を行う復調手段とを備え、
上記フィルタ手段は、各サブキャリア手段を他のサブキャリア手段と組合せ、上記フィルタ手段の出力においてキャリア間干渉が減少するように上記フィルタリングを行い、
上記係数計算手段は、上記フィルタ手段の出力および上記フーリエ変換手段の出力を入力とし、上記キャリア間干渉が最小になるように適応的にフィルタ係数を逐次更新して出力する
ことを特徴とする直交周波数分割多重信号受信装置。
【請求項２】
上記係数計算手段は、ステップサイズ値およびリファレンス値をさらに入力とすることを特徴とする請求項１に記載のことを特徴とする直交周波数分割多重信号受信装置。
【請求項３】
フィルタ手段の出力信号がパイロットキャリアであるか否かを識別するタイミング信号を出力するパイロットタイミング信号生成手段と、
該パイロットタイミング信号生成手段の出力を入力とし、タイミング信号に応じたステップサイズパラメータを出力するステップサイズ制御手段とをさらに備え、
上記係数計算手段は、上記ステップサイズ値として該ステップサイズ制御手段の出力を入力とし、これに基づき上記フィルタ係数の逐次更新を行う
ことを特徴とする請求項２に記載の直交周波数分割多重信号受信装置。
【請求項４】
各サブキャリア毎の信号電力を計算して出力する電力計算手段と、
該電力計算手段の出力を入力とし、これに基づきステップサイズパラメータを制御して出力するステップサイズ制御手段とをさらに備え、
上記係数計算手段は、上記ステップサイズ値として該ステップサイズ制御手段の出力を入力とし、これに基づき上記フィルタ係数の逐次更新を行うことを特徴とする請求項２に記載の直交周波数分割多重信号受信装置。
【請求項５】
上記電力計算手段は、上記フーリエ変換手段の出力を入力とし、各サブキャリア毎の信号電力を計算して出力することを特徴とする請求項４に記載の直交周波数分割多重信号受信装置。
【請求項６】
上記復調手段が、各サブキャリアに対して推定した伝送路特性をもとに復調を行う過程で各サブキャリアの平均的な電力に相当する物理量を計算するものである場合、上記復調手段が上記電力計算手段を兼ねており、
上記ステップサイズ制御手段は、上記復調手段から出力される各サブキャリアの上記平均的な電力を表す情報を入力とし、これに基づき上記ステップサイズパラメータを制御して出力することを特徴とする請求項４に記載の直交周波数分割多重信号受信装置。
【請求項７】
各サブキャリア毎の信号電力を計算して出力する電力計算手段と、
該電力計算手段の出力を入力とし、これに基づきリファレンスレベル値を制御して出力するリファレンス制御手段とをさらに備え、
上記係数計算手段は、上記リファレンス値として該リファレンス制御手段の出力を入力とし、これに基づき上記フィルタ係数の逐次更新を行うことを特徴とする請求項２に記載の直交周波数分割多重信号受信装置。
【請求項８】
上記電力計算手段は、上記フーリエ変換手段の出力を入力とし、各サブキャリア毎の信号電力を計算して出力することを特徴とする請求項７に記載の直交周波数分割多重信号受信装置。
【請求項９】
上記復調手段が、各サブキャリアに対して推定した伝送路特性をもとに復調を行う過程で各サブキャリアの平均的な電力に相当する物理量を計算するものである場合、上記復調手段が上記電力計算手段を兼ねており、
上記ステップサイズ制御手段は、上記復調手段から出力される各サブキャリアの上記平均的な電力を表す情報を入力とし、これに基づき上記リファレンス値を制御して出力することを特徴とする請求項７に記載の直交周波数分割多重信号受信装置。
【手続補正２】
【補正対象書類名】明細書
【補正対象項目名】０００６
【補正方法】変更
【補正の内容】
【０００６】
【課題を解決するための手段】
本願請求項１に記載の直交周波数分割多重信号受信装置は、
直交周波数分割多重された信号から送信データを再生する直交周波数分割多重信号受信装置において、
受信した時間ドメインの信号を、それぞれのサブキャリア成分を含む周波数ドメインの信号に変換するフーリエ変換手段と、
係数計算手段と、
上記フーリエ変換手段の出力および上記係数計算手段の出力を入力とし、上記係数計算手段から出力されるフィルタ係数によるフィルタリングを行うフィルタ手段と、
上記フィルタ手段の出力を入力とし、サブキャリアをそれぞれの変調方式に応じた復調法によって復調を行う復調手段とを備え、
上記フィルタ手段は、各サブキャリア手段を他のサブキャリア手段と組合せ、上記フィルタ手段の出力においてキャリア間干渉が減少するように上記フィルタリングを行い、
上記係数計算手段は、上記フィルタ手段の出力および上記フーリエ変換手段の出力を入力とし、上記キャリア間干渉が最小になるように適応的にフィルタ係数を逐次更新して出力する
ことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００９２
【補正方法】変更
【補正の内容】
【００９２】
請求項３の発明によれば、パイロットキャリアであるか否かに応じて係数更新の際に用いられるステップサイズパラメータを制御するように構成したので、キャリア間干渉を除去する際のフィルタ係数を高速に求めることができるという効果がある。
【手続補正１１】
【補正対象書類名】明細書
【補正対象項目名】００９４
【補正方法】変更
【補正の内容】
【００９４】
請求項４の発明によれば、サブキャリアの電力に応じて係数更新の際に用いるステップサイズパラメータを制御できるように構成したので、マルチパスの影響を受けた直交周波数分割多重信号に対しても適応的にキャリア間干渉を除去することができるという効果がある。
【手続補正１２】
【補正対象書類名】明細書
【補正対象項目名】００９５
【補正方法】変更
【補正の内容】
【００９５】
請求項５の発明によれば、フーリエ変換手段の出力に基づいて信号電力を計算するので、速やかに電力の計算を行なうことができ、従ってフィルタ係数の逐次更新を遅滞なく行なうことができる。
【手続補正１３】
【補正対象書類名】明細書
【補正対象項目名】００９６
【補正方法】変更
【補正の内容】
【００９６】
請求項６の発明によれば、復調手段に元々備わっている電力計算機能を利用することができるので、電力の計算のために新たに回路を加える必要がない。また、平均的な電力を用いるので、送信データの信号レベル変化によらず、安定的にフィルタ係数の逐次更新を行なうことができる。
【手続補正１４】
【補正対象書類名】明細書
【補正対象項目名】００９７
【補正方法】変更
【補正の内容】
【００９７】
請求項７の発明によれば、サブキャリアの電力に応じて係数更新の際に用いるリファレンスレベル信号を制御できるように構成したので、マルチパスの影響を受けた直交周波数分割多重信号に対しても適応的にキャリア間干渉を除去することができるという効果がある。
【手続補正１５】
【補正対象書類名】明細書
【補正対象項目名】００９８
【補正方法】変更
【補正の内容】
【００９８】
請求項８の発明によれば、フーリエ変換手段の出力に基づいて信号電力を計算するので、速やかに電力の計算を行なうことができ、従ってフィルタ係数の逐次更新を遅滞なく行なうことができる。
【手続補正１６】
【補正対象書類名】明細書
【補正対象項目名】００９９
【補正方法】変更
【補正の内容】
【００９９】
請求項９の発明によれば、復調手段に元々備わっている電力計算機能を利用することができるので、電力の計算のために新たに回路を加える必要がない。また、平均的な電力を用いるので、送信データの信号レベル変化によらず、安定的にフィルタ係数の逐次更新を行なうことができる。